(57)【要約】      （修正有）【課題】吸い口付き飲食品を安定に保持できるとともに、包装容器の表面に生じた水滴で手やバッグが濡れることを防止できる吸い口付き飲食品用カバーを提供する。【解決手段】吸い口付き飲食品用カバー２は、上端に開口部を有する袋状のカバー本体５と、カバー本体の内側を覆う断熱材からなる遮水体６とを備え、遮水体の内側に包装容器本体３が収容される。【選択図】図２
0003227209.tif 000002
【実用新案登録請求の範囲】
【請求項１】
内容物が収容された包装容器本体と、該包装容器本体の上端部より突出した蓋付きの吸い口とを備えてなる吸い口付き飲食品を収容する吸い口付き飲食品用カバーであって、
上端に開口部を有する袋状のカバー本体と、該カバー本体の内側を覆う遮水体とを備え、該遮水体の内側に前記包装容器本体が収容されるようにしたことを特徴とする吸い口付き飲食品用カバー。
【請求項２】
前記遮水体は、断熱材により構成されている請求項１に記載の吸い口付き飲食品用カバー。
【請求項３】
前記カバー本体の開口部縁に基端部が回動可能に支持され、前記開口部を跨いで前記カバー本体の外面に被せられるフラップと、前記吸い口が挿通される吸い口突出部とを備えている請求項1又は２に記載の吸い口付き飲食品用カバー。
【請求項４】
前記フラップの基端部の両側部に前記開口部縁に支持された回動支持部を備え、該回動支持部間に前記吸い口突出部が形成されている請求項３に記載の吸い口付き飲食品用カバー。
【請求項５】
前記吸い口突出部より前記フラップの回動半径方向に向けた回避用スリットが形成されている請求項４に記載の吸い口付き飲食品用カバー。
【請求項６】
前記吸い口突出部は、前記フラップを貫通する孔状に形成されている請求項３に記載の吸い口付き飲食品用カバー。
【請求項７】
前記吸い口突出部は、互いに間隔をおいて配置された一対のフラップ間に形成されている請求項３に記載の吸い口付き飲食品用カバー。
【請求項８】
前記カバー本体は、前記開口部の両側部内縁にそれぞれ互いに対向する内面の一方に固定された雄側貼着部材と、他方の内面に固定され、前記雄側貼着部材と着脱厚可能に貼着される雌側貼着部材とを備えている請求項１又は２に記載の吸い口付き飲食品用カバー。
【請求項９】
前記カバー本体は、可撓性を有する樹脂材によって形成されている請求項１〜８の何れか一に記載の吸い口付き飲食品用カバー。
【請求項１０】
前記フラップは、、可撓性を有する樹脂材によって形成されている請求項３〜９の何れか一に記載の吸い口付き飲食品用カバー。
【考案の詳細な説明】
【技術分野】
【０００１】
本考案は、吸い口付き包装容器内にスポーツドリンクやジュース等の液体や、ゲル状のゼリー食品等を充填した吸い口付き飲食品の外側に被せて使用する吸い口付き飲食品用カバーに関する。
【背景技術】
【０００２】
現在、スポーツドリンクやジュース等の飲料やゲル状のゼリー食品等の内容物を吸い口付き包装容器に収容し、吸い口から手軽に内容物を摂取できるようにした商品（以下、吸い口付き飲食品という）が広く流通している（例えば、特許文献１を参照）。
【０００３】
この吸い口付き飲食品は、吸い口に開閉自在の蓋を備えており、摂取したい時に蓋を開けて吸引し、その他の時は、蓋を閉じておくことによってバッグや衣類のポケット等に収容して容易に持ち運びすることができるようになっている。
【０００４】
この吸い口付き飲食品は、商品によって冷蔵しておくことが望ましいが、せっかく冷蔵しておいても冷蔵庫より取り出してから長時間が経過すると、温度が高くなり、それに伴い清涼感が失われることがあった。
【０００５】
そこで、このような吸い口付き飲食品では、長時間冷たい状態を維持するため、予め吸い口付き包装容器ごと吸い口付き飲食品を冷凍しておき、徐々に溶かしながら摂取する場合も増加している。
【０００６】
また、近年では、吸い口付き包装容器に、フローズンアイスクリーム等の冷菓を収容した商品も広く販売されている。
【先行技術文献】
【特許文献】
【０００７】
【特許文献１】特開２０１１−２４０９５９号公報
【考案の概要】
【考案が解決しようとする課題】
【０００８】
しかしながら、上述の如き従来の技術では、冷凍した状態であると冷たいため、手で持ち続けることが困難であり、また、吸い口付き包装容器自体は、保冷性が低く、冷凍しても短時間で溶けてしまうという問題があった。
【０００９】
また、このような吸い口付き飲食品は、冷凍したままバッグや衣類のポケット等に長時間収容していると、容器の表面に結露によって水滴が生じ、その水滴によってバッグや衣類が濡れるという問題があった。
【００１０】
さらに、一般的な吸い口付き包装容器は、廃棄時の容積を軽減できることから、一般的にペットボトル等に比べて軟質に形成されており、内容物が減るにつれて保形性が低くなり不安定であるという問題もあった。
【００１１】
そこで、本願考案は、上述の如き従来の問題を鑑み、吸い口付き包装容器に内容物が収容された吸い口付き飲食品を収納するための吸い口付き飲食品用カバーの提供を目的とする。
【課題を解決するための手段】
【００１２】
上述の如き従来の問題を解決するための請求項１に記載の考案の特徴は、内容物が収容された包装容器本体と、該包装容器本体の上端部より突出した蓋付きの吸い口とを備えてなる吸い口付き飲食品を収容する吸い口付き飲食品用カバーであって、上端に開口部を有する袋状のカバー本体と、該カバー本体の内側を覆う遮水体とを備え、該遮水体の内側に前記包装容器本体が収容されるようにしたことにある。
【００１３】
請求項２に記載の考案の特徴は、請求項１の構成に加え、前記遮水体は、断熱材により構成されていることにある。
【００１４】
請求項３に記載の考案の特徴は、請求項１又は２の構成に加え、前記カバー本体の開口部縁に基端部が回動可能に支持され、前記開口部を跨いで前記カバー本体の外面に被せられるフラップと、前記吸い口が挿通される吸い口突出部とを備えていることにある。
【００１５】
請求項４に記載の考案の特徴は、請求項３の構成に加え、前記フラップの基端部の両側部に前記開口部縁に支持された回動支持部を備え、該回動支持部間に前記吸い口突出部が形成されていることにある。
【００１６】
請求項５に記載の考案の特徴は、請求項４の構成に加え、前記吸い口突出部より前記フラップの回動半径方向に向けた回避用スリットが形成されていることにある。
【００１７】
請求項６に記載の考案の特徴は、請求項３の構成に加え、前記吸い口突出部は、前記フラップを貫通する孔状に形成されていることにある。
【００１８】
請求項７に記載の考案の特徴は、請求項３の構成に加え、前記吸い口突出部は、互いに間隔をおいて配置された一対のフラップ間に形成されていることにある。
【００１９】
請求項８に記載の考案の特徴は、請求項１又は２の構成に加え、前記カバー本体は、前記開口部の両側部内縁にそれぞれ互いに対向する内面の一方に固定された雄側貼着部材と、他方の内面に固定され、前記雄側貼着部材と着脱厚可能に貼着される雌側貼着部材とを備えていることにある。
【００２０】
請求項９に記載の考案の特徴は、請求項１〜８の何れか一の構成に加え、前記カバー本体は、可撓性を有する樹脂材によって形成されていることにある。
【００２１】
請求項１０に記載の考案の特徴は、請求項３〜９の何れか一の構成に加え、前記フラップは、可撓性を有する樹脂材によって形成されていることにある。
【考案の効果】
【００２２】
本考案に係る吸い口付き飲食品用カバーは、請求項１の構成を具備することによって、吸い口付き飲食品を安定した状態で保持することができるとともに、吸い口付き包装容器の表面に生じた水滴等で手やバッグ等が濡れることを防止できる。
【００２３】
また、本考案において、請求項２の構成を具備することによって、冷凍又は冷蔵された吸い口付き飲食品の急激な温度上昇を抑制し、長時間持ち運びしても清涼感を維持することができる。
【００２４】
さらに、本考案において、請求項３の構成を具備することによって、フラップがカバー本体に収容された包装容器本体の肩部に被せられ、開口部からの吸熱及び放熱を防止するとともに、吸い口付き包装容器の脱落を防止することができる。
【００２５】
さらにまた、本考案において、請求項４の構成を具備することによって、フラップを回避して吸い口を好適に突出させることができる。
【００２６】
さらにまた、本考案において、請求項５の構成を具備することによって、フラップに阻害されずに吸い口を吸い口突出口より突出させることができる。特に、内容物を冷凍し、包装容器本体の変形が困難な場合であっても、吸い口を吸い口突出口に誘導することができる。
【００２７】
さらにまた、本考案において、請求項６乃至８の構成を具備することによって、吸い口を突出させた状態で吸い口付き包装容器をカバー本体内に保持することができる。
【００２８】
さらにまた、本考案において、請求項９乃至１０の構成を具備することによって、製作コストを低減できるとともに、カバー全体の保形成を確保することができる。
【図面の簡単な説明】
【００２９】
【図１】本考案に係る吸い口付き飲食品用カバーの使用態様の一例を示す斜視図である。
【図２】同上の縦断面図である。
【図３】同上の吸い口付き飲食品を収納する際の状態を示す斜視図である。
【考案を実施するための形態】
【００３０】
次に、本考案に係る吸い口付き飲食品用カバーの実施態様を図１〜図３に示す実施例に基づいて説明する。尚、図中符号１は吸い口付き飲食品、符号２は吸い口付き飲食品１に被せられる吸い口付き飲食品用カバー（以下、カバーという）である。
【００３１】
吸い口付き飲食品１は、袋状の包装容器本体３と、包装容器本体３の上端部より突出した蓋４ｂ付きの吸い口４とを備え、包装容器本体３内にジュースやスポーツドリンク等の飲料、ゼリー等のゲル状食品、又はフローズンアイスクリーム等の氷菓が内容物として充填されている。
【００３２】
また、このような吸い口付き飲食品１は、内容物が氷菓以外の場合であっても、必要に応じて包装容器ごと冷凍し、徐々に解凍しつつ飲食する場合がある。
【００３３】
包装容器本体３は、互い対向する表裏フィルム３ａ，３ｂと、表裏フィルム３ａ，３ｂの側部に挟み込んだ一対の側部フィルム３ｃ，３ｃとを備え、各フィルム３ａ〜３ｃの周縁部が熱溶着によって貼着されることによって袋状に形成されている。
【００３４】
包装容器本体３を構成する各フィルム３ａ〜３ｃは、ポリエステル、ポリプロピレン、ポリアミド、ポリエチレン、ボリブチレンテレフタレート、エチレン−ビニルアルコール共重合体等の合成樹脂性フィルム、これら合成樹脂性フィルムにガスバリア性や水分バリア性を付与したコーティングフィルム、蒸着フィルム等の公知の合成樹脂性フィルム、又はこれらが積層されたものが使用され、一般的に軟質なものとなっている。
【００３５】
吸い口４は、包装容器本体３の内部と外部とを連通させる筒状の吸い口本体４ａと、吸い口本体４ａの先端部に螺合された開閉可能なキャップ状の蓋４ｂとを備え、表裏フィルム３ａ，３ｂ間に吸い口本体４ａを挟み込んだ状態で熱溶着されることによって、包装容器本体３の上縁部にシール部３ｄが形成されるとともに、吸い口４が包装容器本体３の上端部より突出した状態で固定されている。
【００３６】
カバー２は、上端に開口部５ａを有する袋状のカバー本体５と、カバー本体５の内側を覆う遮水体６と、カバー本体５の開口部５ａ縁に基端部が回動可能に支持されたフラップ７と、吸い口４が挿通される吸い口突出部８とを備え、吸い口４がカバー本体５より突出した状態で包装容器本体３が遮水体６の内側に収容されるようになっている。
【００３７】
カバー本体５は、カンバス地等の布材や樹脂材等の可撓性を有する材料によって上面が開口し、底面が平坦な有底袋状に形成され、一定の保形性を有し、内容物を収容した状態で自立できるようになっている。
【００３８】
遮水体６は、アルミニウムシート等の断熱材により構成され、収容された吸い口付き飲食品１の温度変化、主に、冷凍した吸い口付き飲食品１の急速な温度上昇を抑制できるようになっている。
【００３９】
この遮水体６は、遮水性を具備しており、冷蔵又は冷凍した吸い口付き飲食品１の包装容器本体３の表面に結露によって水滴が生じた場合であってもカバー２の外側に当該水滴が浸透しないようになっている。
【００４０】
尚、遮水体６は、上述のアルミニウムシート等の断熱材に限定されず、その他の材質であってもよく、カバー本体５の材質が遮水性を有する樹脂材の場合には、カバー本体５を構成する材料の内面そのものが遮水体６を構成してもよい。
【００４１】
フラップ７は、図３に示すように、カバー本体５と同様の布材や樹脂材等からなる可撓性を有する材質によって矩形状に形成され、基端部が開口部５ａの片側に回動可能に支持され、開口部５ａを跨いでカバー本体５の外面に被せられるようになっている。
【００４２】
フラップ７は、両側部にカバー本体５の開口部５ａ縁に支持された回動支持部７ａ，７ａを備え、回動支持部７ａ，７ａ間に横向きスリット状の吸い口突出部８が形成され、フラップ７を閉じた際に吸い口突出部８より吸い口４を引き出し、カバー本体５の上端より突出させることができるようになっている。
【００４３】
また、フラップ７には、吸い口突出部８よりフラップ７の回動半径方向に向けた切れ目状の回避用スリット９が形成され、吸い口突出部８と回避用スリット９がＴ字状を成している。
【００４４】
回避用スリット９は、一般的な吸い口４の突出長に合わせた長さに形成され、フラップ７を閉じる際に、吸い口４が回避用スリット９の両側を押し退けて通り抜けられるようにしている。
【００４５】
その際、フラップ７が可撓性を有する樹脂材等によって形成されていることによって、抜け口が回避用スリット９を通り抜けた後、元の状態に復帰する。
【００４６】
特に、吸い口付き飲食品１は、内容物が冷凍されている場合、包装容器本体３が変形し難い状態にあって吸い口４の位置が変動し難くなるので、回避用スリット９を有することによって、フラップ７を円滑に開口部５ａに被せることができる。
【００４７】
回動支持部７ａ，７ａは、フラップ７の基端側縁が熱溶着、縫い付け又はカバー本体５との一体成形によりカバー本体５の開口部５ａ縁と一体化され、回動できるようになっている。
【００４８】
フラップ７の裏面には、面ファスナー等の互いに着脱可能な着脱手段１０の一方の着脱部材１０ａが固定され、カバー本体５の外面に固定された他方の着脱部材１０ｂと着脱させることによりフラップ７を開閉できるようにしている。
【００４９】
尚、着脱手段１０は、上述の面ファスナーに限定されず、例えば、スナップ釦等を使用してもよい。
【００５０】
このように構成された吸い口付き飲食品用カバー２は、吸い口付き飲食品１を収容することによって、内容物が減っても形状を保つことができるとともに、遮水体６によって、遮水されているので、包装容器本体３の表面に結露等によって水滴が生じてもカバー本体５の外側に水滴が浸透せず、カバー２を持つ手や収納したバックや衣類のポケットが濡れない。
【００５１】
また、遮水体６が断熱材によって構成されていることによって、冷凍又は冷蔵した吸い口付き飲食品１の急激な温度変化を抑制し、長時間冷却した状態を維持することができる。
【００５２】
さらに、カバー本体５の開口部５ａを跨いて被せられるフラップ７を備えていることによって、上述の保温性が向上するとともに、吸い口付き飲食品１がカバー２から脱落することを防止できる。
【００５３】
尚、上述の実施例では、吸い口突出部８をフラップ７の回動支持部７ａ，７ａ間に形成した例について説明したが、吸い口突出部８は、フラップ７を貫通する孔状に形成しいてもよい。
【００５４】
また、フラップ７の態様は、上述の実施例に限定されず、カバー本体５の片側辺に互いに間隔をおいて配置された一対のフラップを備え、そのフラップ間を吸い口突出部としたものであってもよい。
【００５５】
さらに、上述の実施例では、フラップ７を備えた場合について説明したが、フラップ７を設けなくともよく、その場合、カバー本体５には、開口部５ａの両側部内縁にそれぞれ互いに対向する内面の一方に固定された雄側貼着部材と、他方の内面に固定された雌側貼着部材とを備え、雄側貼着部材と雌側貼着部材とを着脱厚可能に貼着されることによって開口部５ａを閉じられるようにしてもよい。
【００５６】
尚、吸い口付き飲食品１の態様は、図１〜３に示した態様に限定されず、同様の商品のいずれにも対応することができる。
【符号の説明】
【００５７】
１  吸い口付き飲食品
２  吸い口付き飲食品用カバー
３  包装容器本体
４  吸い口
５  カバー本体
６  遮水体
７  フラップ
８  吸い口突出部
９  回避用スリット
１０  着脱手段
【図１】
0003227209.tif 000003
【図２】
0003227209.tif 000004
【図３】
0003227209.tif 000005
【手続補正書】
【提出日】令和2年5月13日(2020.5.13)
【手続補正１】
【補正対象書類名】実用新案登録請求の範囲
【補正対象項目名】全文
【補正方法】変更
【補正の内容】
【実用新案登録請求の範囲】
【請求項１】
内容物が収容された包装容器本体と、該包装容器本体の上端部より突出した蓋付きの吸い口とを備えてなる吸い口付き飲食品を収容する吸い口付き飲食品用カバーであって、
上端に開口部を有する袋状のカバー本体と、該カバー本体の内側を覆う遮水体とを備え、該遮水体の内側に前記包装容器本体が収容されるようにしたことを特徴とする吸い口付き飲食品用カバー。
【請求項２】
前記遮水体は、断熱材により構成されている請求項１に記載の吸い口付き飲食品用カバー。
【請求項３】
前記カバー本体の開口部縁に基端部が回動可能に支持され、前記開口部を跨いで前記カバー本体の外面に被せられるフラップと、前記吸い口が挿通される吸い口突出部とを備えている請求項1又は２に記載の吸い口付き飲食品用カバー。
【請求項４】
前記フラップの基端部の両側部に前記開口部縁に支持された回動支持部を備え、該回動支持部間に前記吸い口突出部が形成されている請求項３に記載の吸い口付き飲食品用カバー。
【請求項５】
前記吸い口突出部より前記フラップの回動半径方向に向けた回避用スリットが形成されている請求項４に記載の吸い口付き飲食品用カバー。
【請求項６】
前記吸い口突出部は、前記フラップを貫通する孔状に形成されている請求項３に記載の吸い口付き飲食品用カバー。
【請求項７】
前記吸い口突出部は、互いに間隔をおいて配置された一対のフラップ間に形成されている請求項３に記載の吸い口付き飲食品用カバー。
【請求項８】
前記カバー本体は、前記開口部の両側部内縁にそれぞれ互いに対向する内面の一方に固定された雄側貼着部材と、他方の内面に固定され、前記雄側貼着部材と着脱厚可能に貼着される雌側貼着部材とを備えている請求項１又は２に記載の吸い口付き飲食品用カバー。
【請求項９】
前記カバー本体は、可撓性を有する樹脂材によって形成されている請求項１〜８の何れか一に記載の吸い口付き飲食品用カバー。
【請求項１０】
前記フラップは、可撓性を有する樹脂材によって形成されている請求項３〜７の何れか一に記載の吸い口付き飲食品用カバー。
【手続補正２】
【補正対象書類名】明細書
【補正対象項目名】００２１
【補正方法】変更
【補正の内容】
【００２１】
請求項１０に記載の考案の特徴は、請求項３〜７の何れか一の構成に加え、前記フラップは、可撓性を有する樹脂材によって形成されていることにある。